(57)【要約】【課題】片手で操作でき、その摩擦力が確実に得られるようにした挟持具を提供する。【解決手段】  少なくとも１つの挟持具本体（２）を有する挟持具である。各挟持具本体（２）は、第１軸（例えば２０）と、この第１軸に対して相対する第２軸（例えば２３）と、前記第１軸、第２軸を連結する連結軸（２２）を有する。前記第１軸の下端には、前記第１軸と前記第２軸との間隔より長さの長い係止軸（４）が回動自在に連結され、この係止軸（４）の長さは前記第１軸と第２軸の軸間の距離より長い。好ましくは、前記挟持具本体（２）は１〜１０個連接して設けられている。さらに、前記挟持具本体（２）を壁などに取り付ける取付軸（３）を設けることが好ましい。【選択図】  図１
2019126512.tif 000002
【特許請求の範囲】
【請求項１】
少なくとも１つの挟持具本体（２，２Ａ）を有する挟持具（１，１Ａ0）であって、
各挟持具本体（２，２Ａ）は、第１軸（例えば２０，２０Ａ）と、この第１軸に対して相対する第２軸（例えば２３，２３Ａ）と、前記第１軸、第２軸を連結する連結軸（２２，２２Ａ）を有し、
前記第１軸の下端には、前記第１軸と前記第２軸との間隔より長さの長い係止軸（４，４Ａ）が回動自在に連結され、この係止軸（４，４Ａ）の長さは前記第１軸と第２軸の軸間の距離より長いことを特徴とする挟持具（１）。
【請求項２】
前記挟持具本体（２，２Ａ）が１〜１０個連接して設けられた請求項１記載の挟持具。
【請求項３】
さらに、前記挟持具本体（２）を壁などに取り付ける取付軸（３）を設けた請求項１又は２記載の挟持具。
【請求項４】
前記第１軸と前記第２軸のうち少なくとも一方の軸と連結軸に溝（２８）を設け、この溝（２８）にそって前記取付軸（３）がスライド可能とした請求項３記載の挟持具。
【請求項５】
前記挟持具本体（２）と前記取付軸（３）の間が磁石（２９，３５）により接合可能である請求項１〜４のいずれかに記載の挟持具。
【請求項６】
係止軸（４，４Ａ）が、金属製の本体（４１，４１Ａ）と、その本体（４１，４１Ａ）に取り付けられた伸縮性のあるゴム（４２，４２Ａ）から構成されている請求項１〜５のいずれかに記載の挟持具。
【請求項７】
前記ゴム（４２）にバネ作用を持たせた請求項１〜６のいずれかに記載の挟持具。
【請求項８】
前記挟持具本体（２Ａ）が、伸縮可能なレージトングの交差点に設けられた請求項１〜７のいずれかに記載の挟持具。
【発明の詳細な説明】
【技術分野】
【０００１】
本発明は挟持具であって、特に片手で操作することのできる挟持具に関する。
【０００２】
物を挟むための挟持具には用途や機能に応じて様々な種類がある。例えば、洗濯物を挟む洗濯バサミや、紙等を挟む紙挟みやクリップ等が周知である。本発明はそれらをすべて包含する。
【背景技術】
【０００３】
一般的な洗濯バサミは、常態では開閉部がバネの力で閉じられている。これを開くにはこのバネの力より大きな力で挟み片をつまみ、開閉部を開いてその間に洗濯物を挟む。このとき、洗濯バサミの挟み片を片方の手でつまみ、もう一方の手で洗濯物を保持するので、両手が塞がることとなる。
【０００４】
洗濯物を干すとき、そのたびに両手が塞がるのは、煩わしいことである。そこで、バネを使用しない洗濯バサミが特許第６０５９３８７号（特許文献１）で提案されている。この特許文献１では、洗濯バサミを使用するときに両手を使用しないでもよいように、本体と回転体の間に洗濯物を挟み込んで自重により洗濯物を保持する発明が開示されている。
【先行技術文献】
【特許文献】
【０００５】
【特許文献１】特許第６０５９３８７号
【発明の概要】
【発明が解決しようとする課題】
【０００６】
特許文献１においては、洗濯物を挟む力を増大させるために、回転体表面にシリコンゴム材を用いることが提案されている。しかし、具体的な構成についての提案はなされていない。
【０００７】
また、この従来技術では、回転体と接続部の間の摩擦力で回転体が一定以上、下方に回転しないようにしている。従って、摩耗等によりこの摩擦力が失われてしまうと回転体が回転してしまうという問題があった。
【０００８】
そこで、本発明の目的は、片手で操作でき、その摩擦力が確実に得られるようにした挟持具を提供することである。
【課題を解決するための手段】
【０００９】
前記の目的を達成する本発明に係る挟持具は、少なくとも１つの挟持具本体を有し、各挟持具本体は、第１軸と、この第１軸に対して相対する第２軸と、前記第１軸、第２軸を連結する連結軸を有し、前記第１軸の下端には、前記第１軸と前記第２軸との間隔より長さの長い係止軸が回動自在に連結され、この係止軸の長さは前記第１軸と第２軸の端部間の距離より長いことを特徴とする（請求項1）。
【００１０】
前記挟持具本体は１〜１０個連接して設けるのが好ましい。本明細書では「挟持具本体」は、個々のものを指して使用する場合と、全体を指して使用する場合がある。
【００１１】
さらに、前記挟持具本体を壁などに取り付ける取付軸を設けることが好ましい。
【００１２】
さらに好ましくは、前記第１軸と前記第２軸の少なくとも一方の軸と連結軸に溝を設け、この溝に沿って前記取付軸をスライド可能とする。
【００１３】
好ましくは、前記挟持具本体と前記取付軸の間を磁石により接合可能とする。
【００１４】
係止軸は、金属製の本体と、その本体に取り付けられた伸縮性のあるゴムから構成するのが好ましい。ゴムはバネ作用を持たせることが好ましいが、バネ作用がなくても金属製の本体だけでも自重により機能を果たすことができる。
【００１５】
前記挟持具本体は、伸縮可能なレージトングの交差点に設けることもできる。
【発明の効果】
【００１６】
本発明に係る挟持具は、係止軸と隣接する軸の間に洗濯物などを下方から片手で押し込むことができる。また、このような挟持具本体を複数個連接して設けたり、レージトングの交差点に設けたりすることにより、実用性を高めることができた。
【００１７】
係止軸は、ゴムにより被覆されているため、摩擦力が高いだけでなく、このゴムを利用してバネ作用を発揮させることができた。
【図面の簡単な説明】
【００１８】
【図１】本発明に係る第１実施例の挟持具の分解斜視図である。
【図２】同実施例の完成状態の斜視図である。
【図３】同実施例の（ａ）平面図、（ｂ）左側面図、（ｃ）正面図、（ｄ）右側面図、（ｅ）底面図、（ｆ）縦断面図である。
【図４】同実施例で使用する係止軸の（ａ）平面図、（ｂ）左側面図、（ｃ）底面図、（ｄ）右側面図、（ｅ）（ａ）の矢視断面図である。
【図５】図４における係止軸本体の（ａ）平面図、（ｂ）左側面図、（ｃ）底面図、（ｄ）右側面図、（ｅ）（ａ）の矢視断面図である。
【図６】図４におけるゴムの（ａ）平面図、（ｂ）左側面図、（ｃ）底面図、（ｄ）右側面図、（ｅ）（ａ）の矢視断面図である。
【図７】同実施例の取付軸を回転させた一状態である。
【図８】同実施例の取付軸を回転させた別の状態である。
【図９】本発明に係る第２実施例のレージトング型挟持具の正面図であり、（ａ）は縮めた状態、（ｂ）は伸ばした状態である。
【図１０】同実施例の一部拡大図である。（ａ）（ｂ）は縮めた状態であり、（ａ）正面図、（ｂ）側面図、（ｃ）（ｄ）は伸ばした状態であり、（ａ）正面図、（ｂ）側面図である。
【図１１】同実施例の挟持具本体の（ａ）平面図、（ｂ）左側面図、（ｃ）正面図、（ｄ）右側面図、（ｅ）矢視断面図、（ｆ）底面図である。
【図１２】同実施例で使用するゴムの（ａ）平面図、（ｂ）左側面図、（ｃ）底面図、（ｄ）右側面図、（ｅ）断面図である。
【発明を実施するための形態】
【００１９】
以下、添付の図面を用いて、本発明の実施例について説明する。以下の説明では便宜上「洗濯バサミ」を例にとって説明する。
【実施例１】
【００２０】
図１〜図９は第１実施例の挟持具１を示す。
【００２１】
この挟持具１は、挟持具本体２と、壁などに取り付ける取付軸３を有する。
【００２２】
挟持具本体２は、縦断面が「コ」の字形で、左端軸２０と右端軸２１のそれぞれの上端を連結軸２２が連結している。左端軸２０と右端軸２１の間には中間軸２３，２４，２５が３本設けられている。左端軸２０、右端軸２１、中間軸２３，２４，２５は同じ長さである。
【００２３】
左端軸２０と第１中間軸の間２３、第１中間軸２３と第２中間軸２４の間、第２中間軸２４と第３中間軸２５の間、第３中間軸２５と右端軸２１の間、にはそれぞれ係止軸４が回動自在に取り付けられている。各係止軸４は同じ構造である。係止軸４の回動の中心は、右端軸２１を除く各軸２０，２３，２４，２５の最下部の突起２６に取り付けられたピン２７である。
【００２４】
各係止軸４は、図４に拡大図を示すように、ある程度重量のある金属製の本体４１と、その本体４１に取り付けられた伸縮性のあるゴム４２（例えばシリコンゴム）からなる。
【００２５】
本体４１は、図５に示すように、ゴム４２で被覆される前半部４３と、ゴム４２の末端が固定される後半部４４からなる。
【００２６】
ゴム４２は、図６に示すように、本体を取り囲むリング状部分４５と、そこから延びる線状部分４６と、線状部分４６の末端のＴ字状部分４７からなる。線状部分４６は、本体後半部４４の長手方向溝４８に配置され、Ｔ字状部分４７は各軸２０，２３，２４，２５の最下部突起２６付近の溝２６１に配置され、そこで固定される。
【００２７】
各係止軸４の長さは、両隣の軸間の間隔よりも長いので、図１〜３で示すように、上向きに傾斜して隣接する片方の軸（例えば２３）に寄りかかるように位置する。図３（ｆ）及び図４に示すように、ゴム４２は係止軸４の下部を走り、各軸最下部で固定されているので、一種のバネ作用を有することになる。係止軸４の先端を持ち上げて離すと、係止軸４は、自重及びこのバネ作用により元の姿勢に復元し、右隣の軸に寄りかかる。
【００２８】
図１〜３に示すように、取付軸３は横断面が「コ」の字形で、左右壁３１，３２の上端に短いビス３３，３４が差し込まれている。このビス３３，２４は挟持具本体２の左端軸２０と連結軸２２に設けられた溝２８に沿ってスライド可能である。図３の位置から、取付軸３を左端軸２０の最下部まで下げて、右方向に旋回させると、図７のように四角形になり、収納に便利である。また、連結軸２２と一直線にして右側にスライドさせると、図８のようになり、やはり収納に便利である。
【００２９】
取付軸３は、例えば吸着板、磁石、ネジ、釘、両面テープなどにより壁（図示せず）などに取り付けられる。
【００３０】
この挟持具１を使用するには、図２に示すように、係止軸４を持ち上げるようにして洗濯物５を下方から押し込むだけでよい。洗濯物５は、係止軸４の自重及びゴム４２のバネ作用により、係止軸４先端と右隣の軸（例えば２１）の間に挟まれて係止される。
【００３１】
洗濯物５を下方から押し込むときに、挟持具本体２が持ち上げられないようするために、取付軸３と本体左端軸２０を磁石２９，３５で接合可能としておくのが好ましい。
【００３２】
上記の例では、挟持具１は係止軸４を４つ有しているが、中間軸の数を増やすことにより数の設定は自由である。通常、１〜１０個、好ましくは３〜７個程度である。したがって、挟持具本体２も同じだけの個数があることになる。本明細書では「挟持具本体」は、個々のものを指して使用している場合と、全体を指して使用している場合がある。
【実施例２】
【００３３】
図１０〜図１３は第２実施例の挟持具１Ａである。
【００３４】
この実施例では、図１０（ａ）（ｂ）に示すように、伸縮するレージトング状の挟持具１Ａである。レージトング６の各交差点６１に挟持具本体２Ａが取り付けられている。
【００３５】
各挟持具本体２Ａは、図１２に示すように、垂直の左端軸２０Ａ、傾斜した右端軸２３Ａ、左右軸２０Ａ，２３Ａを上端で連結する連結軸２２Ａを有する。
【００３６】
左端軸２０Ａと右端軸２３Ａの間には係止軸４Ａが回動自在に取り付けられている。回動の中心は、左端軸２０Ａの最下部の突起２６Ａに取り付けられたピン２７Ａである。
【００３７】
各係止軸４Ａは、図１１，図１２に示すように、ある程度重量のある金属製の本体４１Ａと、その本体に取り付けられた伸縮性のあるゴム４２Ａからなる。
【００３８】
係止軸本体４１Ａは、図１２（ｅ）、図１３（ｅ）に示すように、ゴムで被覆される前半部４３Ａを有する。第１実施例と異なり、ゴム４２Ａは係止軸後端に固定されていない。したがって、このゴム４２Ａにはバネ作用はなく、単に係止軸４Ａは、自重だけで右端軸２３Ａに寄りかかっている。洗濯物を挟む力は若干落ちるが、伸縮によるゴムの劣化を防ぐことができる。
【００３９】
挟持具本体２Ａはレージトング６の交差点６１に対して、ネジ穴６２を通してネジ６３で固定される。レージトング６３は伸縮させることができるので、挟持具本体２Ａの間隔を自由に調節できる。例えば、挟持具本体２Ａの間隔を開けて、洗濯物の風通しをよくすることができる。
【符号の説明】
【００４０】
１，１Ａ      挟持具
２，２Ａ      挟持具本体
２０，２０Ａ  左端軸
２１   右端軸
２２，２２Ａ  連結軸
２３，２４，２５     中間軸
２３Ａ 右端軸
２６，２６Ａ  突起
２６１  溝
２７，２７Ａ  ピン
２８   溝
３     取付軸
３１，３２    左右壁
３３，２４    ビス
４，４Ａ      係止軸
４１，４１Ａ  本体
４２，４２Ａ  ゴム
４３，４３Ａ  前半部
４４   後半部
４５   リング状部分
４６   線状部分
４７   Ｔ字状部分
４８   長手方向溝
４９   縦溝
５     洗濯物
６     レージトング
６１   交差点
６２   ネジ穴
６３   ネジ
２９，３５    磁石
【図１】
2019126512.tif 000003
【図２】
2019126512.tif 000004
【図３】
2019126512.tif 000005
【図４】
2019126512.tif 000006
【図５】
2019126512.tif 000007
【図６】
2019126512.tif 000008
【図７】
2019126512.tif 000009
【図８】
2019126512.tif 000010
【図９】
2019126512.tif 000011
【図１０】
2019126512.tif 000012
【図１１】
2019126512.tif 000013
【図１２】
2019126512.tif 000014